(57)【特許請求の範囲】
【請求項１】
通常モードと、所定の装置要素への供給電力を低下させる少なくとも１つの省エネルギーモードと、に相互に移行可能な省エネルギー機能付きシステム装置において、
一定時間間隔で初期化が必要なオプション機能に応じた制御を実行するオプション制御手段を有し、
該オプション制御手段の初期化中は前記通常モードとすることを特徴とする省エネルギー機能付きシステム装置。
【請求項２】
何れかの装置要素がエラー状態の場合は省エネルギーモードへの移行を留保し、
各装置要素のエラー状態の解除後は前記通常モードとすることを特徴とする請求項１に記載の省エネルギー機能付きシステム装置。
【請求項３】
前記省エネルギーモードとして、前記所定の装置要素の全ての電源を切断する主電源断省エネルギーモードを有し、
該主電源断省エネルギーモードに移行できないときに、その要因を表示出力することを特徴とする請求項１または２に記載の省エネルギー機能付きシステム装置。
【請求項４】
待機中に予め設定された条件が成立すると前記省エネルギーモードに移行するように構成し、
前記省エネルギーモードに移行する条件を曜日および時間帯毎に設定可能とすることを特徴とする請求項１乃至３の何れかに記載の省エネルギー機能付きシステム装置。
【請求項５】
待機中に予め設定された条件が成立すると前記省エネルギーモードに移行するように構成し、
前記省エネルギーモードに移行する条件を前記機能毎に設定可能とすることを特徴とする請求項１乃至４の何れかに記載の省エネルギー機能付きシステム装置。
【請求項６】
前記設定した省エネルギーモードに移行する条件を出力することを特徴とする請求項４または５に記載の省エネルギー機能付きシステム装置。
【発明の詳細な説明】
【０００１】
【発明の属する技術分野】
本発明は、システム装置に関し、詳しくは、省エネルギーモードに切り替えて所定のユニットの消費電力を節減する省エネルギー機能付きシステム装置に関する。
【０００２】
【従来の技術】
近年、エネルギー資源の枯渇などのエネルギー問題や地球温暖化問題が取り上げられており、小規模な電力消費量の情報処理装置や通信機器などのシステム装置にも省エネルギー化が要求されるようになっている。
【０００３】
この種のシステム装置のうち、ファクシミリ装置としては、電力を消費する装置要素として、記録紙や読み取り原稿を搬送する搬送手段を駆動するモーター、画像を記録する書き込み部の画像形成のためのユニット（例えば、サーマルヘッドやレーザビームプリンタエンジンなど）、および装置状態を表示したり装置を操作する際のガイダンスメッセージなどを表示する表示部（例えば、液晶表示装置やＬＥＤ（Light-Emitting Diode）など）などを備え、省エネルギーモードでは、表示部の電源をＯＦＦしたり、上述するような電力を消費する装置要素の電源をＯＦＦするなどして消費電力を削減している。
【０００４】
【発明が解決しようとする課題】
しかしながら、このような従来の省エネルギー機能付きファクシミリ装置にあっては、一定時間毎に初期化されるオプション回線制御部のような装置要素が初期化中に省エネルギーモードに移行すると、その後、省エネルギーモードから復帰したときにその装置要素が正常に動作しなくなってしまうという問題があった。
【０００５】
また、このような従来の省エネルギー機能付きファクシミリ装置にあっては、記録紙ジャム等のエラー発生時は省エネルギーモードに入らず、エラーが解除されるとすぐに省エネルギーモードに入ってしまうため、エラー解除後すぐに操作を行いたいときは、省エネルギー状態を解除しなければならず、操作が煩雑であるという問題があった。
【０００６】
また、このような従来の省エネルギー機能付きファクシミリ装置にあっては、ユーザーの操作により省エネルギーモードに移行する事もできるが、その省エネルギーモードには、装置の主電源をＯＦＦとするモードと、装置の主電源はＯＮのままで、表示部をＯＦＦとするモードがある。通常は主電源をＯＦＦとする省エネルギーモードとなるが、ある状態（例えばヒーターの温度が高い時）では、主電源がＯＦＦとならない場合があり、省エネに入る操作を行ったのに、なぜ主電源ＯＦＦの省エネモードに入らないのか、ユーザーに分かりにくいという問題があった。
【０００７】
また、このような従来の省エネルギー機能付きファクシミリ装置にあっては、ある時間操作が行われないと省エネルギーモードに移行するようになっていて、省エネルギーモードに移行するまでの時間は予めユーザーにより指定できるようになっている（例えば、５分や３分や１分など）。この時間は１つしか指定することができず、使用されない曜日や時間帯であっても、また、使用する機能（例えば、コピーやファクシミリや電話など）が違っても、指定された時間が経過しないと省エネルギーモードには移行しないため、消費電力低減の要求に十分応えられないという問題があった。
【０００８】
そこで、本発明は、一定時間毎に初期化が必要な装置要素の初期化中や、エラーが解除された直後などに省エネルギーモードに移行することを回避し、また、表示部に主電源ＯＦＦのモードに移行できない理由を表示し、さらに、曜日や時間帯や使用する機能毎に省エネルギーモードに移行するまでの時間を設定可能にすることにより、利便性が高く、かつ消費電力を削減することができる省エネルギー機能付きシステム装置を提供することを目的とする。
【０００９】
【課題を解決するための手段】
上記課題を解決する第１の発明は、通常モードと、所定の装置要素への供給電力を低下させる少なくとも１つの省エネルギーモードと、に相互に移行可能な省エネルギー機能付きシステム装置において、一定時間間隔で初期化が必要なオプション機能に応じた制御を実行するオプション制御手段を有し、該オプション制御手段の初期化中は前記通常モードとすることを特徴とするものである。
【００１０】
この発明では、オプション制御手段の初期化中には通常モードにされる。したがって、オプション制御手段が正常に初期化される。
【００１１】
上記課題を解決する第２の発明は、上記第１の発明の構成に加え、何れかの装置要素がエラー状態の場合は省エネルギーモードへの移行を留保し、各装置要素のエラー状態の解除後は前記通常モードとすることを特徴とするものである。
【００１２】
この発明では、各装置要素のエラー状態の解除後は通常モードにされる。したがって、エラー状態解除直後にも操作が受け付けられる。
【００１３】
上記課題を解決する第３の発明は、上記第１または第２の発明の構成に加え、前記省エネルギーモードとして、前記所定の装置要素の全ての電源を切断する主電源断省エネルギーモードを有し、該主電源断省エネルギーモードに移行できないときに、その要因を表示出力することを特徴とするものである。
【００１４】
この発明では、主電源断省エネルギーモードに移行できない要因が表示される。したがって、ユーザーは主電源断省エネルギーモードに移行できない要因を知ることができる。
【００１５】
上記課題を解決する第４の発明は、上記第１乃至第３の発明の何れかの構成に加え、待機中に予め設定された条件が成立すると前記省エネルギーモードに移行するように構成し、前記省エネルギーモードに移行する条件を曜日および時間帯毎に設定可能とすることを特徴とするものである。
【００１６】
この発明では、省エネルギーモードに移行する条件が曜日および時間毎に設定される。したがって、曜日および時間毎に省エネルギーモードに移行する条件を変えることができる。
【００１７】
上記課題を解決する第５の発明は、上記第１乃至第４の発明の何れかの構成に加え、待機中に予め設定された条件が成立すると前記省エネルギーモードに移行するように構成し、前記省エネルギーモードに移行する条件を前記機能毎に設定可能とすることを特徴とするものである。
【００１８】
この発明では、省エネルギーモードに移行する条件が機能毎に設定される。したがって、機能毎に省エネルギーモードに移行する条件を変えることができる。
【００１９】
上記課題を解決する第６の発明は、上記第４または第５の発明の構成に加え、前記設定した省エネルギーモードに移行する条件を出力することを特徴とするものである。
【００２０】
この発明では、省エネルギーモードに移行する条件が出力される。したがって、省エネルギーモードに移行する条件を確認することができる。
【００２１】
【発明の実施の形態】
以下、本発明を図面に基づいて説明する。
図１〜図５は本発明に係る省エネルギー機能付きシステム装置としてのファクシミリ装置の一実施形態を示す図である。
【００２２】
図１において、ファクシミリ装置１０は、システム制御部１１、記憶部１２、省エネ制御部１３、オプション回線制御部（オプション制御手段）１４、読み取り部１５、書き込み部１６、圧縮／伸長部１７、回線制御部１８、通信制御部１９、操作部２０、ＬＡＮインタフェース（Ｉ／Ｆ）部２１、がバス３０を介して接続されている。
【００２３】
システム制御部１１は、記憶部１２内に格納されているプログラムに従って、装置各部を制御してファクシミリ装置の所定の動作を実行するものである。
記憶部１２は、システム制御プログラムやユーザーデータやシステム動作状況や画情報や相手先電話番号などの各種情報を記憶するとともに動作する上で必要なデータを記憶するものである。
【００２４】
省エネ制御部１３は、システム制御部１１からの指令入力（操作部２０に一定時間ユーザーの操作入力イベントが発生しなかった等を検出したとき、あるいはユーザーからの省エネルギーモードへの移行操作を受けたとき発せられる。）を受けて省エネルギーモード時の制御を行うものである。
【００２５】
オプション回線制御部１４は、ファクシミリ装置１０にオプションとして装備され、ＩＳＤＮ（Integrated Services Digital Network）に接続され、呼設定メッセージの送出、呼設定メッセージの受信などにより、所定の送信動作および受信動作を行うものである。このオプション回線制御部１４は、オプションとして装備されるため、システム制御部１１により一定時間毎に初期化処理が行われるようになっている。
【００２６】
読み取り部１５は、送信する原稿の画像を読み取って画像データに変換するものである。
書き込み部１６は、帯電部、現像部、定着部、感光体、給紙部などから構成され、画像データを用紙に記録出力するものである。
圧縮／伸長部１７は、読み取った送信する画像データを圧縮したり、受信した圧縮された画像データの伸長を行うものである。
【００２７】
回線制御部１８は、ＰＳＴＮ（Public Switched Telephone Network）に接続され、回線の捕捉、送信先電話番号である選択信号の送出、着呼の検出などにより、所定の送信動作および受信動作を行うものである。
通信制御部１９は、所定の伝送制御手順に従ってファクシミリ通信を制御するものである。
【００２８】
操作部２０は、装置の状態や、操作ガイダンスを表示する表示部（図示していない）を備えるとともに、相手番号やシステムに必要な情報等を入力したり、送信相手先を指示したりして装置に対する各種操作を行うものである。
【００２９】
ＬＡＮインタフェース部２１は、イントラネットを構築するイーサネットケーブルに接続され、イントラネット上のパーソナルコンピュータとの通信を制御するものである。
【００３０】
すなわち、ファクシミリ装置１０は、読み取り部１５により読み取った画像データを書き込み部１６により記録出力するコピー機能と、通信制御部１９により読み取り画像データをファクシミリ送信するとともに画像データをファクシミリ受信するファクシミリ機能と、ＬＡＮインタフェース部を介して受信した画像データを書き込み部１６により記録出力するプリンタ機能と、回線制御部１８に外付けされた電話機からの要求によるＰＳＴＮへの発信やＰＳＴＮからの着呼を検出して電話機に着呼を知らせる電話機能と、を備えている。
【００３１】
このファクシミリ装置１０は、操作部２０に一定時間ユーザーの操作入力イベントが発生しなかった等の要因により省エネルギーモードに移行するようになっており、ユーザーの操作入力イベント等が発生しなくなってから省エネルギー状態に移行するまでの時間を曜日や時間帯あるいは選択されている機能によって設定することができるようになっている。
【００３２】
具体的には、システム制御部１１は、操作部２０の表示部にガイダンス表示をしつつ入力させた設定項目を、図３のフローチャートに示すように、まず、日時による設定を行うかを判定し（Ｓ１１）、日時による設定であれば、曜日別に現在の設定内容を表示部に表示し、操作部２０のキー操作により日時毎に省エネルギー状態に移行するまでの時間（あるいは省エネルギーモードに移行しない）を設定させ、その内容を記憶部１２に設定する（Ｓ１２）。
【００３３】
日時による設定でなければ、機能による設定であるかを判定し（Ｓ１３）、機能による設定であれば、機能別に現在の設定内容を表示部に表示し、操作部２０のキー操作により機能毎に省エネルギー状態に移行するまでの時間を設定させ、その内容を記憶部１２に設定する（Ｓ１４）。なお、機能による設定でもなければ、そのまま終了する。
【００３４】
したがって、省エネルギー状態に移行するまでの時間を曜日や時間帯によって設定することができる。
また、省エネルギー状態に移行するまでの時間を選択されている機能によって設定することができる。
【００３５】
このようにして設定された内容は、書き込み部１６により印刷可能になっている。
具体的には、図３のフローチャートに示すように、システム制御部１１は、ユーザーの操作部２０へのキー入力により設定リストの印刷が選択されると、表示部に省エネルギー状態への移行時間の設定リストを印刷するかの確認メッセージを表示し（Ｓ２１）、ユーザーのキー入力がリストの印刷であれば、例えば図４に示すように設定リストを印刷する（Ｓ２２）。ユーザーのキー入力がリストの印刷でなければ、そのまま終了する。
したがって、設定されている省エネルギー状態に移行するまでの時間の内容をリストとして印刷することができる。
【００３６】
次に、このファクシミリ装置１０は、省エネルギーモードへの移行時にオプション回線制御部１４の初期化中であれば省エネルギーモードへの移行を延期するようになっている。また、省エネルギーモードへの移行時に記録紙ジャム等のエラー発生中であると、省エネルギーモードへの移行を延期するようになっている。また、主電源ＯＦＦの省エネルギーモード（主電源断省エネルギーモード）に移行できないときはその理由を表示部に表示した後、表示部のみ電源ＯＦＦとする省エネルギーモードに移行するようになっている。
【００３７】
具体的には、図２のフローチャートに示すように、システム制御部１１は、電源投入直後、ユーザーの操作入力イベントの終了時、各機能の処理終了後、あるいは装置各部のエラー状態の解除時に処理を開始し、まず現在の曜日・時刻あるいは選択されている機能に基づき、上述する処理で設定した省エネルギー状態に移行するまでの時間を記憶部１２から読み出して時計回路（図示していない）に設定し（Ｓ３１）、操作部２０からユーザーによる省エネルギーモードへの移行操作が行われたことの通知がないかを判定する（Ｓ３２）。
【００３８】
移行操作が行われていなければ、省エネルギーモードへ移行する待機状態を解除する要因となるユーザーの操作入力イベント等が発生しているかを判定し（Ｓ３３）、ユーザーの操作入力イベント等が発生していれば処理を終了する。
【００３９】
ユーザーの操作入力イベント等が発生していなければ、時計回路からの情報を取得し省エネルギー状態に移行するまでの時間が経過したかを判定し（Ｓ３４）、未だ時間が経過していなければステップ３２に戻ってユーザーによる省エネルギーモードへの移行操作が入力されるか、ユーザーの操作入力イベント等が発生するか、または省エネルギーモードへ移行する時間が経過するのを待ち合わせる。
【００４０】
省エネルギーモードへ移行する時間が経過していれば、オプション回線制御部１４が初期化中でないかを判定し（Ｓ３５）、オプション回線制御部１４が初期化中であれば、ステップ１１に戻り省エネルギー状態に移行するまでの時間を再設定する。
【００４１】
オプション回線制御部１４が初期化中でなければ、システムのエラー状態を見て、エラーが発生しているかを判定し（Ｓ３６）、エラーが発生していれば、処理を終了する。
【００４２】
エラーが発生していなければ、主電源ＯＦＦの省エネルギー状態に移行できるかを判定し（Ｓ３７）、例えば、ヒーターの温度が高い場合などの主電源ＯＦＦの省エネルギー状態に移行できない場合は、操作部２０にその理由を通知し、それを一定時間表示させて、主電源はＯＮのまま操作部２０の表示部（図示していない）だけをＯＦＦにする省エネルギーモードに移行する（Ｓ３８）。
【００４３】
主電源ＯＦＦの省エネルギー状態に移行できる場合は、主電源ＯＦＦの省エネルギー状態に移行する（Ｓ３９）。
また、ステップ３２において、操作部２０からユーザーによる省エネルギーモードへの移行操作が行われたことの通知があった場合、ステップ３５に飛んで以後の処理を行う。
【００４４】
したがって、オプション回線制御部１４を初期化中には省エネルギーモードに移行しないので、オプション回線制御部１４の初期化処理を適切に行うことができ、オプション回線制御部１４の動作不良を回避することができる。
また、装置各部のエラーが解除された直後には省エネルギーモードに移行しないので、ユーザーはエラー解除直後でも操作を行うことができる。
【００４５】
また、主電源ＯＦＦの省エネルギーモードに移行できないときは、その理由を操作部２０の表示部に表示しているので、主電源ＯＦＦの省エネルギーモードに移行できない理由をユーザーに知らせることができる。
【００４６】
このように本実施形態においては、省エネルギーモードへ移行するまでの時間を曜日や時間帯あるいは選択されている機能により設定することができ、その設定内容を印刷することができるので、消費電力を削減するとともにユーザーの使い勝手を向上させることができる。
また、主電源ＯＦＦの省エネルギーモードに移行できない理由をユーザーに知らせているので、ユーザーの使い勝手を向上させることができる。
【００４７】
また、オプション回線制御部１４の初期化中や装置各部のエラーが解除された直後には省エネルギーモードに移行しないので、オプション回線制御部１４の動作不良を回避することができ、またエラー解除直後でも操作を行うことができ、ユーザーの使い勝手を向上させることができる。
【００４８】
【発明の効果】
本発明によれば、一定時間間隔で初期化が必要なオプション制御手段の初期化中は通常モードとして初期化処理を適切に行っているので、オプション制御手段の動作不良を回避することができ、利便性を向上させることができる。
【００４９】
また、本発明によれば、各装置要素のエラー状態の解除後は前記通常モードととしているので、ユーザーはエラー状態解除直後にも操作することができ、利便性を向上させることができる。
【００５０】
また、本発明によれば、主電源断省エネルギーモードに移行できないときに、その要因を表示出力しているので、ユーザーは主電源断省エネルギーモードに移行できない要因を知ることができ、利便性を向上させることができる。
【００５１】
また、本発明によれば、省エネルギーモードに移行する条件を曜日および時間帯毎に設定可能としているので、曜日および時間毎に省エネルギーモードに移行する条件を変えることができ、利便性を向上させるとともに、消費電力を削減することができる。
【００５２】
また、本発明によれば、省エネルギーモードに移行する条件を前記機能毎に設定可能としているので、機能毎に省エネルギーモードに移行する条件を変えることができ、利便性を向上させるとともに、消費電力を削減することができる。
【００５３】
また、設定した省エネルギーモードに移行する条件を出力するようにすれば、省エネルギーモードに移行する条件を確認することができ、利便性を向上させることができる。
【図面の簡単な説明】
【図１】本発明に係る省エネルギー機能付きシステム装置としてのファクシミリ装置の一実施形態を示す図であり、その概略ブロック図である。
【図２】その省エネルギーモードへの移行時間を設定する処理を説明するフローチャートである。
【図３】その設定されている省エネルギーモードへの移行時間の内容を出力する処理を説明するフローチャートである。
【図４】その設定されている省エネルギーモードへの移行時間の内容の出力例である。
【図５】その省エネルギーモードへの移行処理を説明するフローチャートである。
【符号の説明】
１０ ファクシミリ装置
１１ システム制御部
１２ 記憶部
１３ 省エネ制御部
１４ オプション回線制御部
１５ 読み取り部
１６ 書き込み部
１７ 圧縮／伸長部
１８ 回線制御部
１９ 通信制御部
２０ 操作部
２１ ＬＡＮインタフェース部
３０ バス
【図１】
0003734669.tif 000002
【図２】
0003734669.tif 000003
【図３】
0003734669.tif 000004
【図４】
0003734669.tif 000005
【図５】
0003734669.tif 000006